(57)【要約】【課題】構成を複雑化させることなく、インバータ回路において生じるコモンモードノイズが交流電源側に回り込むことを抑制できる誘導加熱調理器を提供する。【解決手段】ノイズフィルタユニット７ｂを構成するアースコンデンサの一端子（回路基板４６のアース部）と、本体ケース２とを、回路基板４６と本体ケース２とが対向する位置において基板−筐体接続部６８を介して電気的に接続する。また、本体ケース２と電源コード６７のアース線６７ｃ（大地）とを、基板−筐体接続部６８とは異なる位置に設けられた筐体−電源接続部６９において電気的に接続する。【選択図】図２
2010140657.tif 000002
【特許請求の範囲】
【請求項１】
調理容器が載置されるトッププレートと、
このトッププレートの下方に配置され、前記調理容器を誘導加熱する加熱コイルと、
交流電源から電力の供給を受けて前記加熱コイルに高周波電流を供給するインバータ回路と、
前記交流電源と前記インバータ回路との間に介在され、コモンモードコイルと一端子が接地電位に接続されるアースコンデンサとを有するノイズフィルタ回路と、
前記インバータ回路および前記ノイズフィルタ回路が搭載されるプリント配線板と、
前記プリント配線板が収容される絶縁材料からなる基板ケースと、
前記加熱コイルおよび前記基板ケースが収容される金属材料からなる筐体とを備え、
前記プリント配線板は、前記基板ケースを介して前記筐体に固定され、
前記筐体は、アース線を介して接地され、
前記アースコンデンサの一端子と前記筐体とは、前記プリント配線板と前記筐体とが対向する位置で電気的に接続され、
前記筐体と前記アース線とは、前記プリント配線板と前記筐体とが対向する位置とは異なる位置で電気的に接続されていることを特徴とする誘導加熱調理器。
【請求項２】
プリント配線板は、筐体の底面部と互いに平行となるように配置されていることを特徴とする請求項１記載の誘導加熱調理器。
【請求項３】
プリント配線板は１枚で構成されていることを特徴とする請求項１または２記載の誘導加熱調理器。
【請求項４】
プリント配線板は、筐体と近接した位置に配置されていることを特徴とする請求項１ないし３のいずれかに記載の誘導加熱調理器。
【請求項５】
基板ケースは、開口部を有し、
アースコンデンサの一端子と筐体とは、前記開口部を通じて電気的に接続されることを特徴とする請求項１ないし４のいずれかに記載の誘導加熱調理器。
【請求項６】
基板ケースと筐体との間に介在する導電体を設け、
アースコンデンサの一端子と前記筐体とは、前記導電体を介して電気的に接続されていることを特徴とする請求項１ないし５のいずれかに記載の誘導加熱調理器。
【請求項７】
プリント配線板に設けられアースコンデンサの一端子と電気的に接続された被係止部材と、
基板ケースを貫通して前記被係止部材に係止する係止部材とを備え、
前記アースコンデンサの一端子と筐体とは、前記被係止部材および前記係止部材を介して電気的に接続されることを特徴とする請求項１ないし６のいずれかに記載の誘導加熱調理器。
【発明の詳細な説明】
【技術分野】
【０００１】
本発明は、交流電源から電力の供給を受けて加熱コイルに高周波電流を供給するインバータ回路と、交流電源とインバータ回路との間に介在するノイズフィルタ回路とを備えた誘導加熱調理器に関する。
【背景技術】
【０００２】
調理容器を誘導加熱するための加熱コイルに高周波電流を供給するインバータ回路は、高周波且つ高電圧となるため、金属で構成された筐体との間において絶縁する必要がある。このため、インバータ回路を含む電気回路ユニットは、絶縁材料により構成されたケース内に収容されている。また、交流電源とインバータ回路との間には、インバータ回路により発生する高周波ノイズ（コモンモードノイズ）が交流電源側に回り込まないようにするためにノイズフィルタ回路が介装されている（例えば特許文献１〜３参照）。
【特許文献１】特許第３４６９０５６号公報
【特許文献２】特許第２９７６６３３号公報
【特許文献３】特開２００６−０８６０９５号公報
【発明の開示】
【発明が解決しようとする課題】
【０００３】
上記従来の構成のノイズフィルタ回路において、コモンモードノイズを短絡してインバータ回路側へ戻すためのアースコンデンサのアース端子は、例えばリード線を用いてケース外まで引き出した後、接地された筐体と電気的に接続される。このため、上記リード線には長いものが使用される。このような長いリード線は、インバータ回路において生じる例えば数ＭＨｚ〜数十ＭＨｚの高周波ノイズ成分に対し、インダクタンスになるとともに、表皮効果により高周波抵抗が大きくなる。
【０００４】
このようなことから、アースコンデンサのアース端子と筐体との間のインピーダンスが大きくなり、コモンモードノイズがアースコンデンサで短絡されにくくなる。この結果、コモンモードノイズが交流電源側に回り込むと、この交流電源に接続される他の機器においてノイズによる障害が発生してしまう。このノイズ障害を防止するために、上記リード線や交流電源に接続される電源コードにノイズ防止用のコイルなどを介装することも考えられる。しかし、この場合、部品点数が増加するため構成が複雑化するとともにコスト高になってしまう。
【０００５】
本発明は上記事情に鑑みてなされたものであり、その目的は、構成を複雑化させることなく、インバータ回路において生じるコモンモードノイズが交流電源側に回り込むことを抑制できる誘導加熱調理器を提供することにある。
【課題を解決するための手段】
【０００６】
上記した目的を達成するために、本発明の誘導加熱調理器は、調理容器が載置されるトッププレートと、このトッププレートの下方に配置され、前記調理容器を誘導加熱する加熱コイルと、交流電源から電力の供給を受けて前記加熱コイルに高周波電流を供給するインバータ回路と、前記交流電源と前記インバータ回路との間に介在され、コモンモードコイルと一端子が接地電位に接続されるアースコンデンサとを有するノイズフィルタ回路と、前記インバータ回路および前記ノイズフィルタ回路が搭載されるプリント配線板と、前記プリント配線板が収容される絶縁材料からなる基板ケースと、前記加熱コイルおよび前記基板ケースが収容される金属材料からなる筐体とを備え、前記プリント配線板は、前記基板ケースを介して前記筐体に固定され、前記筐体は、アース線を介して接地され、前記アースコンデンサの一端子と前記筐体とは、前記プリント配線板と前記筐体とが対向する位置で電気的に接続され、前記筐体と前記アース線とは、前記プリント配線板と前記筐体とが対向する位置とは異なる位置で電気的に接続されていることを特徴とする。
【発明の効果】
【０００７】
本発明によれば、ノイズフィルタ回路を構成するアースコンデンサの接地電位側の端子と金属材料からなる筐体とは、ノイズフィルタ回路を搭載したプリント配線板と筐体とが対向する位置で電気的に接続される。このため、アースコンデンサの接地電位側の端子と筐体との間を短い距離で接続でき、それらの間のインピーダンスを小さくできる。従って、構成が複雑化することなく、ノイズフィルタ回路によるノイズ抑制効果を高めることができ、インバータ回路において生じるコモンモードノイズが交流電源側に回り込むことを抑制できる。
【発明を実施するための最良の形態】
【０００８】
（第１の実施形態）
以下、本発明を据え置きタイプの誘導加熱調理器（ＩＨクッキングヒータ）に適用した第１の実施形態について、図１〜図４を参照して説明する。
図１は、誘導加熱調理器の分解斜視図である。この図１に示すように、誘導加熱調理器の本体１は、上面が開口した矩形箱状の金属材料からなる本体ケース２（筐体に相当）と、この本体ケース２の上面に装着されるトッププレート組立３とを備えている。トッププレート組立３は、例えばガラス製のトッププレート４と、このトッププレート４を支持した金属例えばアルミニウム製のトッププレート枠５とを備えている。トッププレート４の上面には、調理容器Ｗ（図３参照）が載置される。
【０００９】
本体ケース２内の一方側である、前方から見て右側には、後述するファン装置６および電気回路ユニット７（図２参照）が配設され、他方側となる左側にはロースタユニット８が配設されている。本体ケース２内において、右側のファン装置６および電気回路ユニット７と左側のロースタユニット８との間には前後方向に延びる仕切板１０が設けられている。本体ケース２内は、この仕切板１０により左右に仕切られている。
【００１０】
ロースタユニット８は、前面が開口したロースタ用ケーシング１１内にロースタ用のヒータ（図示せず）が配設されているとともに、扉１３を有した引き出しユニット１４が出し入れ可能に設けられ、その引き出しユニット１４に、受け皿と焼き網（いずれも図示せず）が取り付けられるようになっている。ロースタ用ケーシング１１の後部には、ロースタ用排気口部１５が上向きに設けられている。トッププレート枠５の後部には、ロースタ用排気口部１５に連通するロースタ用排気口５ａ（図１に点線で示す）が設けられていて、ロースタ用ケーシング１１内の空気が、ロースタ用排気口部１５およびロースタ用排気口５ａを通して排出されるようになっている。なお、トッププレート枠５の後部には、ロースタ用排気口５ａの左側に位置させて本体排気口５ｂ（図１に点線で示す）が形成されている。ロースタ用排気口５ａおよび本体排気口５ｂは、多数の通気孔を有する排気口カバー９により覆われている。
【００１１】
本体ケース２内の上部には、トッププレート４の下方に位置させて仕切体１６が配設されている。この仕切体１６は、右側のファン装置６および電気回路ユニット７と左側のロースタユニット８に跨った状態で配置されている。仕切体１６は、非磁性の導電材料、例えばアルミニウムにより形成されたもので、外周部に立ち上がった側壁１６ａを枠状に有した浅底の矩形の容器状をなしていて、側壁１６ａの上端部に全周わたって設けたパッキン１７（図２参照）を介してトッププレート４の下面に密着させている。ここで、仕切体１６は、トッププレート４の下方の空間を上空間１８と下空間１９とに仕切るように設けられている（図２参照）。トッププレート４と仕切体１６との間に形成された上空間１８は、トッププレート４と仕切体１６との間がパッキン１７を介して密閉されるような空間とされている。
【００１２】
仕切体１６内の上空間１８内には、複数、この場合２個の誘導加熱用の加熱コイル２１、２２が配設されている。これら加熱コイル２１、２２は、トッププレート４上に載置される調理容器Ｗを誘導加熱するためのものである。これらの加熱コイル２１、２２は、それぞれコイルベース２３に支持された状態で、ばね２４（図２参照）により上方のトッププレート４側に付勢されていて、加熱コイル２１、２２と仕切体１６の内面との間に風が通るように隙間が形成されている。各加熱コイル２１、２２のコイルベース２３の中央部には、温度センサ２５（図２参照）が設けられている。温度センサ２５は、トッププレート４上に載置される調理容器Ｗの温度を検出するためのものである。
【００１３】
仕切体１６の右前部には、右側のコイル２２の前方に位置させて、開口部からなる連通部２６が２個形成されている。また、仕切体１６の左後部には、左側の加熱コイル２１の後方に位置させて、開口部からなる排気口２７が形成され、仕切体１６の左右の中央部の後部に、右側の加熱コイル２２の左後方に位置させて排気口２８が形成されている。
【００１４】
仕切体１６の中央部には、左右の加熱コイル２１、２２間に位置させて、端子台用開口部２９が形成されている。この端子台用開口部２９には、中継端子台３０の一部が挿入されるようになっていて、その端子台用開口部２９は、中継端子台３０によって閉鎖される。中継端子台３０は、仕切板１０の上端部にあって、前後方向の中央部に固定されている。中継端子台３０は、電気回路ユニット７と、加熱コイル２１、２２との間を電気的に接続するためのものである。
【００１５】
仕切体１６の内部である上面には、左右に隣り合った２個の加熱コイル２１、２２間で、且つ前部の連通部２６と後部の排気口２７、２８との間に位置させて、左右方向に延びる第１仕切部３６が設けられているとともに、この第１仕切部３６の後部側において、左右の隣り合った排気口２７、２８間を仕切る第２仕切部３７が設けられている。仕切体１６の上面には、左側の加熱コイル２１のコイルベース２３の外周部と左側の側壁１６ａとの間、および右側の加熱コイル２２のコイルベース２３の外周部と右側の側壁１６ａとの間を接続する第３仕切部３８がそれぞれ設けられている。
仕切体１６の前方には、スイッチからなる操作部４０や表示部４１などを備えた操作パネルユニット４２が設けられている。操作パネルユニット４２は、トッププレート枠５の前部に設けられたカバー部４２ａにてカバーされている。
【００１６】
続いて、電気回路ユニット７およびファン装置６側の構成について、図２も参照して説明する。図２は、図１におけるＸ−Ｘ線に沿う縦断側面図である。電気回路ユニット７とファン装置６は、絶縁材料からなる基板ケース４５に設けられている。基板ケース４５は、本体ケース２の下空間１９における仕切板１０の右側に配置されている。この基板ケース４５内の底部には、１枚のプリント配線板からなる回路基板４６が収容配置されている。これにより、回路基板４６は、基板ケース４５を介して本体ケース２の底部に固定されている。また、回路基板４６は、本体ケース２の底面部と互いに平行となるように配置されている。
【００１７】
この回路基板４６に、後述する電気部品６６を実装することにより、電気回路ユニット７が構成されている。電気回路ユニット７は、加熱コイル２１、２２に高周波電流を供給するインバータ回路８８、このインバータ回路８８などを制御する制御回路９７、ノイズフィルタ回路８０などを備えている（いずれも図４参照）。このような電気回路ユニット７には、電源コード６７を介して電力が供給される。
【００１８】
本実施形態では、インバータ回路８８および制御回路９７と、回路基板４６のうちこれらが搭載される部分とから制御ユニット７ａが構成されている。また、ノイズフィルタ回路８０と、回路基板４６のうちこれらが搭載される部分とからノイズフィルタユニット７ｂが構成されている。
【００１９】
本体ケース２内における基板ケース４５の後側には、第１の吸気ダクト４７が設けられている。この第１の吸気ダクト４７の上部は吸気口４８とされ、この吸気口４８は、前記トッププレート枠５の後部の右部に設けられた第１の吸気口４９（図１には点線で示す）に連通している。第１の吸気口４９は、本体吸気口にも相当している。第１の吸気口４９は、多数の通気孔を有する吸気口カバー４９ａにより覆われている。第１の吸気ダクト４７には、前部に通気口５０が形成されているとともに、内部の上部に立下がり壁５１が設けられていて、第１の吸気口４９および吸気口４８から吸気された外部の空気（外気）が立下がり壁５１の下を通って通気口５０側へ流れるように、Ｕ字状に迂回する構成となっている。立下がり壁５１は、第１の吸気口４９および吸気口４８から水等が第１の吸気ダクト４７内に入った際に、その水が通気口５０側へ浸入することを防止する作用がある。
【００２０】
基板ケース４５の後部の上部に、回路基板４６の上方に位置させてファン装置６が取り付けられている。このファン装置６は、縦軸型の遠心ファンからなる冷却ファン５３と、この冷却ファン５３を回転駆動するファンモータ５４と、冷却ファン５３を囲繞するファンケーシング５５とを備えている。ファンモータ５４は、ファンケーシング５５の上部にねじ５５ａにより取り付けられていて、回転軸５４ａを下に向けている。ファンケーシング５５の上面と仕切体１６の下面との間は離間している。ファンケーシング５５の吐出口５６は前方に向けられていて、その吐出口５６の上部の先端部５６ａは、上に向けられて、仕切体１６の下面に当接している。冷却ファン５３は、これの回転軸となるファンモータ５４の回転軸５４ａが第１の吸気口４９よりも前方に位置していて、右側の加熱コイル２２の下方にまで臨む大きさに構成されている。
【００２１】
ファンケーシング５５の上部には、ファンモータ５４よりも大きな形状の上部吸込口５７が形成されている。この上部吸込口５７は、冷却ファン５３と、仕切体１６ひいては右側の加熱コイル２２との間に位置していて、第１の吸気ダクト４７の通気口５０と連通している。冷却ファン５３がファンモータ５４により回転駆動された際には、第１の吸気ダクト４７を通して上部吸込口５７へと外気（冷却風）が吸い込まれる。この外気が通る経路を第１の吸気経路５８としている。
【００２２】
ファンケーシング５５の下部には、上部吸込口５７の下方に対応する部位に位置させて下部吸込口５９が形成されている。この場合、ファン装置６は、下端部６ａが基板ケース４５の底部４５ａに対して上方に離間した状態で基板ケース４５に取り付けられていて、ファン装置６の下端部６ａと基板ケース４５の底部４５ａとの間に回路基板４６が配置された形態となっている。
【００２３】
基板ケース４５の前下部の左右方向の中央部には、前後方向に延びる第１の送風ダクト６０が設けられ、基板ケース４５の前部の上部には、第１の送風ダクト６０の上方に位置させて第２の送風ダクト６１が設けられている。このうち、第１の送風ダクト６０の後部はファンケーシング５５の吐出口５６の下部に連通し、前部は開口している。第１の送風ダクト６０の後部の下部には、案内板６２が設けられている。この案内板６２の上部の後端部は、ファンケーシング５５の吐出口５６の先端部下部に連なり、案内板６２の前部の下端部は、回路基板４６の上面に当接している。この場合、ファンケーシング５５の吐出口５６から吐出された冷却風の一部は、第１の送風ダクト６０を通って前方へ流れる。
【００２４】
回路基板４６において第１の送風ダクト６０内に位置する部分には、電気部品の中でも特に発熱量が多いインバータのスイッチング素子（例えばＩＧＢＴ）６６ａおよび放熱部材６６ｂが配置されている。従って、第１の送風ダクト６０内を通る冷却風によって、これらスイッチング素子６６ａおよび放熱部材６６ｂが冷却されるようになっている。
【００２５】
第２の送風ダクト６１の後部はファンケーシング５５の吐出口５６の上部に連通し、前部は仕切体１６の連通部２６に連通している。第２の送風ダクト６１の底面６１ａは、後部から連通部２６に向けて高くなるような傾斜面とされている。この場合、ファンケーシング５５の吐出口５６から吐出された冷却風の一部は、第２の送風ダクト６１を通って連通部２６へ案内される。第１の送風ダクト６０と第２の送風ダクト６１との間の後部の仕切部分を分流板部６３としていて、この分流板部６３により、ファンケーシング５５の吐出口５６から吐出された冷却風を、第１の送風ダクト６０側と第２の送風ダクト６１側とに分けられるようになっている。
【００２６】
なお、基板ケース４５の下部には、詳細には示されていないが、第１の送風ダクト６０および案内板６２とは区切られた状態で第２の吸気経路６５が形成されている。この第２の吸気経路６５は、後部がファンケーシング５５の下部吸込口５９に連通し、前部は、本体ケース２の底部に形成された第２の吸気口（図示せず）を介して機外と連通している。回路基板４６において、第１の送風ダクト６０の外側およびファンケーシング５５の下方に対応する部分には、電気部品６６のうち、発熱量が比較的少ないものが配置されている。これらの電気部品は、ファン装置６の駆動時に、外気が第２の吸気口（図示せず）から第２の吸気経路６５を通り、下部吸込口５９からファンケーシング５５内へ吸い込まれる冷却風によって冷却されるようになっている。
【００２７】
基板ケース４５の前部と本体ケース２の前部の背面との間には、上から見てＬ字形をなす補助板７０が設けられていて、この補助板７０と、基板ケース４５の前部と、本体ケース２の前壁と、仕切板１０の前部とにより補助ダクト７１を形成している。補助ダクト７１の下部は、第１の送風ダクト６０の前面開口部と連通していて、第１の送風ダクト６０を通った冷却風がこの補助ダクト７１に排出される。仕切板１０の前部には、矩形状の孔からなる通気口７２が２個形成されていて、補助ダクト７１内を通った冷却風が左側のロースタユニット８側へ案内されるようになっている。本体ケース２の前面の右部には、化粧カバー７３が装着されている。
【００２８】
本体ケース２の底面部において、回路基板４６の後部に対向する位置には絞り部２ａが設けられている。また、基板ケース４５の底部において、絞り部２ａに対向する位置には開口部４５ｂ（図３参照）が設けられている。詳細は後述するが、回路基板４６のアース部と絞り部２ａとは、基板−筐体接続部６８を介して電気的に接続されている。本体ケース２の後部には、筐体−電源接続部６９が設けられている。電源コード６７の電源線６７ａ、６７ｂは、回路基板４６の後部に接続されている。電源コード６７のアース線６７ｃと本体ケース２とは、筐体−電源接続部６９において電気的に接続されている。
【００２９】
筐体−電源接続部６９は、詳しくは図示しないが、例えば本体ケース２に設けられた孔部に挿通されるねじをナットにねじ込んで固定するとともに、これらねじとナットとの間にアース線６７ｃの端部を挟み込む構成とすればよい。また、電源コード６７の３端子プラグは、商用交流電源（交流電源に相当、図４に符号８１を付して示す）に接続される。
【００３０】
図３は、図２の一部構成を拡大して示す図であり、基板−筐体接続部６８の詳細構成を示している。この図３に示すように、回路基板４６に設けられたスルーホール７４、７５には、その下側から断面がＵ字状をなすアース接続端子７６が挿入されている。アース接続端子７６は、回路基板４６の上面側に突出する脚部７６ａ、７６ｂにおいて例えばはんだによりスルーホール７４、７５と電気的に接続されている。スルーホール７４、７５は、回路基板４６のアース部（詳細は後述する）に電気的に接続されている。
【００３１】
アース接続端子７６の底部７６ｃの下面は、基板ケース４５の開口部４５ｂの下端に位置しており、本体ケース２の絞り部２ａの上面に当接している。アース接続端子７６の底部７６ｃおよび絞り部２ａの中央部には孔部が設けられている。これら孔部には、絞り部２ａの下面側からねじ７７（係止部材に相当）が挿通されており、このねじ７７は、アース接続端子７６の底部７６ｃの上面に配設されたナット７８にねじ込まれて固定されている。
【００３２】
このような構成により、回路基板４６のアース部と絞り部２ａとは、回路基板４６と本体ケース２とが対向する位置において、基板ケース４５に設けられた開口部４５ｂを通じて電気的に接続されている。本実施形態では、アース接続端子７６とナット７８とにより被係止部材が構成される。なお、アース接続端子７６の孔部をねじ７７に対応するねじ孔とすれば、ナット７８を省略することができる。
【００３３】
図４は、誘導加熱調理器の電気構成を概略的に示している。なお、図４では、操作パネルユニット４２側の構成については省略されている。まず、加熱コイル２１に関する構成について説明する。ダイオードをブリッジ状に接続してなる整流器７９の交流入力端子は、ノイズフィルタ回路８０および電源コード６７を介して商用交流電源８１に接続されている。
【００３４】
ノイズフィルタ回路８０は、抵抗Ｒ１、コンデンサＣ１〜Ｃ４およびコモンモードコイルＬ１を備えている。商用交流電源８１の交流出力端子８１ａ、８１ｂ間には、電源コード６７を介して抵抗Ｒ１、コンデンサＣ１（線間コンデンサ）およびコモンモードコイルＬ１の入力端子間が互いに並列に接続されている。整流器７９の交流入力端子間には、コンデンサＣ２とＣ３（アースコンデンサに相当）の直列回路およびコンデンサＣ４（線間コンデンサ）が互いに並列に接続されている。
【００３５】
コンデンサＣ２とＣ３の相互接続点Ｎｅは、回路基板４６のアース部に相当し、この相互接続点Ｎｅは本体ケース２に電気的に接続されている。本体ケース２には、商用交流電源８１のアース端子８１ｃが電源コード６７を介して電気的に接続されている。このような構成のノイズフィルタ回路８０は、コモンモードノイズを低減するフィルタであり、後述するインバータ回路８８において発生する高周波のノイズが商用交流電源８１側に回り込まないようにするために設けられている。
【００３６】
整流器７９の直流出力端子は、リアクタ８２を介して平滑コンデンサ８３の両端子に接続されている。平滑コンデンサ８３の両端子には、直流母線８４、８５を介して正側および負側のスイッチング素子としてＩＧＢＴ８６および８７からなるアームが接続されている。これにより、ハーフブリッジ形のインバータ回路８８が構成されている。ＩＧＢＴ８６、８７の各コレクタ、エミッタ間には、それぞれ還流ダイオードが接続されている。インバータ回路８８の出力端子には、加熱コイル２１の一方の端子が接続されており、加熱コイル２１の他方の端子と直流母線８４、８５との間には、共振コンデンサ８９、９０が接続されている。このような構成のインバータ回路８８は、加熱コイル２１に高周波電流を供給するためのものである。
【００３７】
整流器７９の交流入力側には、カレントトランス９１が介挿されており、そのカレントトランス９１の検出信号は、電流検出回路９２に与えられるようになっている。インバータ回路８８の出力側には、カレントトランス９３が介挿されており、そのカレントトランス９３の検出信号は、高周波電流検出回路９４に与えられるようになっている。
【００３８】
加熱コイル２２に関する構成は、上記した加熱コイル２１に関する構成と同様であるため、 加熱コイル２１に関する構成と同一符号を付して説明は省略する。入力電圧検出回路９５は、トランス９６を介して整流器７９への入力電圧を検出するようになっている。制御回路９７は、マイクロコンピュータを主体に構成されたもので、これには、電流検出回路９２、高周波電流検出回路９４および入力電圧検出回路９５からの信号と、図示しないが操作パネルユニット４２の操作部４０からの信号とが与えられるようになっている。制御回路９７は、与えられる信号に基づいて、フォトカプラ９８およびインバータ駆動回路９９を介してインバータ回路８８の駆動を制御するとともに、操作パネルユニット４２の表示部４１に各種の表示などを行わせるようになっている。
【００３９】
上記構成によれば、次のような作用および効果が得られる。
本実施形態の誘導加熱調理器では、ノイズフィルタ回路８０を構成するコンデンサＣ２とＣ３の相互接続点Ｎｅ（回路基板４６のアース部）と、アース線６７ｃを介して接地された本体ケース２とは、回路基板４６と本体ケース２とが対向する位置において、基板−筐体接続部６８を介して電気的に接続されている。このため、相互接続点Ｎｅと本体ケース２との間を短い距離で接続できる。これにより、相互接続点Ｎｅと本体ケース２との間のインピーダンス（インダクタンス、高周波抵抗など）を小さくできる。
【００４０】
このような構成によれば、構成を複雑化させることなく、ノイズフィルタ回路８０によるノイズ抑制効果を高めることができ、インバータ回路８８において生じるコモンモードノイズが商用交流電源８１側に回り込むことを抑制できる。すなわち、インバータ回路８８の搭載された回路基板４６上の銅箔配線（パターン）や電子部品等と、本体ケース２との間の浮遊容量を介して、電子部品等−浮遊容量−本体ケース２−アース線６７ｃ−大地−商用交流電源８１−電子部品等という経路でコモンモードノイズが伝播することを防止できる。従って、商用交流電源８１に接続される他の機器にノイズによる障害が発生することを抑制できる。つまり、誘導加熱調理器の雑音端子電圧を低減することができる。
【００４１】
電源コード６７のアース線６７ｃと本体ケース２とは、基板−筐体接続部６８とは異なる位置に設けられた筐体−電源接続部６９において電気的に接続されている。このように、相互接続点Ｎｅと本体ケース２とを電気的に接続する位置と、本体ケース２とアース線６７ｃ（大地）とを電気的に接続する位置とを離れた位置とすることで、コモンモードノイズが商用交流電源８１側に回り込むための経路が長くなるため、ノイズフィルタ回路８０によるノイズ抑制効果を一層高めることができる。
また、回路基板４６と本体ケース２の底面部とが互いに平行となるように構成した。これにより、基板−筐体接続部６８において回路基板４６のアース部と本体ケース２との間の接続距離が長くなってしまうことを抑制できる。
【００４２】
基板−筐体接続部６８は、回路基板４６に配設されるとともに相互接続点Ｎｅと電気的に接続されたアース接続端子７６と、本体ケース２に設けられた絞り部２ａとを、基板ケース４５の開口部４５ｂを通じて接触させることにより、回路基板４６のアース部と本体ケース２とを電気的に接続する構成とした。つまり、回路基板４６と本体ケース２とを近接させる配置とした。このような構成によれば、相互接続点Ｎｅと本体ケース２との間のインピーダンスを一層小さくできる。また、金属材料からなる本体ケース２により回路基板４６がシールドされることになり、インバータ回路８８において生じるノイズが本体ケース２内の他の部分に伝播してしまうことを防止できる。
【００４３】
また、アース接続端子７６の底部７６ｃおよび絞り部２ａの中央部に設けられた孔部に、絞り部２ａの下面側からねじ７７を挿通し、このねじ７７をアース接続端子７６の底部７６ｃの上面に配設されたナット７８にねじ込んで固定する構成とした。これにより、アース接続端子７６と絞り部２ａとの接触状態を良好にすることができ、ひいては相互接続点Ｎｅと本体ケース２との間のインピーダンスを一層小さくできる。
【００４４】
回路基板４６は、１枚のプリント配線板により構成した。つまり、同一のプリント配線板上にインバータ回路８８とノイズフィルタ回路８０とが搭載される構成とした。このような構成では、インバータ回路８８と商用交流電源８１への接続端子とを基板上で十分に電気的に離間させることが難しくなり、インバータ回路８８により生じるコモンモードノイズが商用交流電源８１側に回り込んでしまう可能性が高まる。しかし、本実施形態の構成によれば、ノイズフィルタ回路８０によるノイズ抑制効果が高められるため、このような基板構成であっても、コモンモードノイズが商用交流電源８１側に回り込むことを抑制できる。
【００４５】
（第２の実施形態）
以下、回路基板４６のアース部と本体ケース２との電気的接続の構成を変更した本発明の第２の実施形態について図５を参照しながら説明する。図５は、第１の実施形態における図３相当図であり、第１の実施形態と同一部分には同一符号を付して説明を省略する。
【００４６】
本体ケース２の底面部において、その上方に回路基板４６が存在しない部分に絞り部２ｂが設けられている。回路基板４６に設けられたスルーホール１０１、１０２には、その上側から断面が逆Ｕ字状をなすアース接続端子１０３が挿入されている。アース接続端子１０３は、回路基板４６の下面側に突出する脚部１０３ａ、１０３ｂにおいて例えばはんだによりスルーホール１０１、１０２と電気的に接続されている。スルーホール１０１、１０２は、回路基板４６のアース部（コンデンサＣ２とＣ３の相互接続点Ｎｅ）に電気的に接続されている。
【００４７】
基板ケース４５の下面には、導電体１０４が設けられている。この導電体１０４は、導電材料を板状にしたものである。なお、導電体１０４として、銅箔のパターンを用いてもよい。この導電体１０４は、一端側が絞り部２ｂを臨む位置とし、他端側がアース接続端子１０３を臨む位置となるように配置されている。
【００４８】
アース接続端子１０３の上辺部１０３ｃの中央部には孔部が設けられている。導電体１０４および基板ケース４５において、アース接続端子１０３の上辺部１０３ｃの中央部と対向する位置にも孔部が設けられている。これら孔部には、基板ケース４５の下面側からねじ１０５（係止部材に相当）が挿通されており、このねじ１０５は、アース接続端子１０３の上辺部１０３ｃの上面に配設されたナット１０６にねじ込まれて固定されている。
【００４９】
また、回路基板４６と基板ケース４５との間において、ねじ１０５の周囲には、円筒形状の樹脂からなるサポート部材１０７が配設されている。このような構成により、回路基板４６のアース部と導電体１０４とは、アース接続端子１０３、ねじ１０５およびナット１０６を介して電気的に接続されている。本実施形態では、アース接続端子１０３とナット１０６とにより被係止部材が構成される。なお、アース接続端子１０３の孔部をねじ１０５に対応するねじ孔とすれば、ナット１０６を省略することができる。
【００５０】
絞り部２ｂの中央部には孔部が設けられている。また、導電体１０４において、絞り部２ｂと対向する位置にも孔部が設けられている。これら孔部には、絞り部２ｂの上面側からねじ１０８が挿通されており、このねじ１０８は、絞り部２ｂの下面に配設されたナット１０９にねじ込まれて固定されている。これにより、導電体１０４の下面と絞り部２ｂの上面とが接触した状態、つまり導電体１０４と絞り部２ｂとが電気的に接続された状態とされている。
【００５１】
上記のとおり構成された本実施形態の基板−筐体接続部１１０は、基板ケース４５と本体ケース２の底面部との間に介在するように、基板ケース４５の下面に導電体１０４を設けた。そして、回路基板４６のアース部（相互接続点Ｎｅ）と本体ケース２とを、導電体１０４を介して電気的に接続した。このような構成によっても、回路基板４６のアース部と本体ケース２との間のインピーダンスを小さくできるので、第１の実施形態と同様の作用および効果が得られる。
【００５２】
ねじ１０５をナット１０６にねじ込んだ状態で、基板ケース４５を本体ケース２内に収容し、その後、ねじ１０８をナット１０９にねじ込むように組立作業を行えば、組立時の作業性が向上する。また、アース接続端子１０３を回路基板４６の上面から挿入して配置する構成（部品面配置）としたので、輸送時における振動などの影響を受けにくくできる。
【００５３】
導電体１０４を板状に構成したことにより、回路基板４６のアース部と本体ケース２との間のインダクタンスを小さくできる。また、導電体１０４を例えばアルミなどの非磁性且つ低抵抗材料で構成すれば、表皮効果が低減されるため、回路基板４６のアース部と本体ケース２との間の高周波抵抗を小さくできる。さらに、板状にした導電体１０４と、本体ケース２の底面部とが対向する部分がコンデンサとして作用することにより、コモンモードノイズの低減効果が一層高まる。
【００５４】
（その他の実施形態）
なお、本発明は上記し且つ図面に記載した各実施形態に限定されるものではなく、次のような変形または拡張が可能である。
基板−筐体接続部６８は、図１に示した位置に限らず、回路基板４６と本体ケース２とが対向する位置に設ければよい。基板−筐体接続部６８における回路基板４６のアース部（相互接続点Ｎｅ）と本体ケース２との電気的接続方法は、絞り部２ａ、アース接続端子７６、ねじ７７およびナット７８を用いる方法に限らない。例えば、回路基板４６のアース部と本体ケース２との間をワイヤを用いて電気的に接続してもよい。
係止部材はねじに限らず、被係止部材はアース接続端子やナットに限らない。例えば、被係止部材として孔部を有する金属部材を回路基板４６に取り付け、係止部材としての金属製のピン状部材を上記孔部に挿入した後かしめることにより係止する構成でもよい。
【００５５】
筐体−電源接続部６９は、回路基板４６と本体ケース２とが対向する位置以外の位置に設ければよい。回路基板４６と本体ケース２の底面部とが互いに平行となるように配置しなくてもよい。回路基板４６は、例えばインバータ回路８８を搭載するプリント配線板と、ノイズフィルタ回路８０を搭載するプリント配線板とに分けてもよい。すなわち、回路基板４６は、複数枚のプリント配線板により構成してもよい。
インバータ回路８８は、ハーフブリッジ形に限らず、フルブリッジ形など、他の構成を用いてもよい。上記各実施形態においては、本発明を２つのＩＨ加熱部（２つのインバータ回路）を有する誘導加熱調理器に適用した例を示したが、本発明は、１つのＩＨ加熱部（１つのインバータ回路）を有する誘導加熱調理器や、３つ以上のＩＨ加熱部（３つ以上のインバータ回路）を有する誘導加熱調理器にも適用可能である。上記した各実施形態では、本発明を据え置きタイプの誘導加熱調理器に適用した場合を例示したが、キッチンに組み込まれる組み込みタイプの誘導加熱調理器にも適用することができる。
【図面の簡単な説明】
【００５６】
【図１】本発明の第１の実施形態を示す誘導加熱調理器の分解斜視図
【図２】図１におけるＸ−Ｘ線に沿う縦断側面図
【図３】図２の一部構成を拡大して示す図
【図４】誘導加熱調理器の電気構成図
【図５】本発明の第２の実施形態を示す図３相当図
【符号の説明】
【００５７】
図面中、２は本体ケース（筐体）、４はトッププレート、２１、２２は加熱コイル、４５は基板ケース、４５ｂは開口部、４６は回路基板（プリント配線板）、６７ｃはアース線、７６、１０３はアース接続端子（被係止部材）、７７、１０５はねじ（係止部材）、７８、１０６はナット（被係止部材）、８０はノイズフィルタ回路、８１は商用交流電源（交流電源）、８８はインバータ回路、１０４は導電体、Ｃ２、Ｃ３はアースコンデンサ、Ｌ１はコモンモードコイル、Ｗは調理容器を示す。
【図１】
2010140657.tif 000003
【図２】
2010140657.tif 000004
【図３】
2010140657.tif 000005
【図４】
2010140657.tif 000006
【図５】
2010140657.tif 000007